(57)【要約】【課題】街や自然の景観を極力損なわない屋外用ごみ箱を提供する。【解決手段】屋外用ごみ箱１０は、少なくとも正面板１と、左側面板２と、右側面板３と、背面板４と、開閉自在の上蓋５とから構成されている。正面板１、左側面板２、右側面板３、背面板４及び上蓋５は不透明の平面板にてなっている。正面板１、左側面板２、右側面板３、背面板４及び上蓋５の両方、又は正面板１、左側面板２、右側面板３、背面板４又は上蓋５のいずれか一方には、図形が描画されているか又は図形のステッカーが貼られている。【選択図】図１
2010265080.tif 000002
【特許請求の範囲】
【請求項１】
少なくとも側面壁と開閉自在の上蓋とから構成され、かつ上記側面壁及び上蓋は不透明の平面板にてなっていると共に、
上記側面壁及び上蓋の両方、又は側面壁若しくは上蓋のいずれか一方には、図形が描画されているか又は図形のステッカーが貼られていることを特徴とする屋外用ごみ箱。
【請求項２】
前記図形の描画又は図形のステッカーは、上蓋及び正面の側面壁に描かれ又は貼られていることを特徴とする請求項１記載の屋外用ごみ箱。
【請求項３】
前記図形の描画又は図形のステッカーには、夜光塗料が用いられていることを特徴とする請求項１又は２記載の屋外用ごみ箱。
【請求項４】
前記図形は、設置される地域にゆかりのある絵柄であることを特徴とする請求項１，２又は３記載の屋外用ごみ箱。
【請求項５】
折り畳み可能となっていることを特徴とする請求項１〜４のいずれか１項に記載の屋外用ごみ箱。
【請求項６】
ダンボール箱に、上蓋を取り付けてなっていることを特徴とする請求項５記載の屋外用ごみ箱。
【発明の詳細な説明】
【技術分野】
【０００１】
本発明は、ごみ収集車が巡回して来るまでごみ袋を保管しておくため、又はキャンプ地等にて一時的にごみ袋を保管しておくための屋外用ごみ箱に関するものである。
【背景技術】
【０００２】
例えば、家庭等で発生したごみは、ポリ袋等に入れて、ごみ収集場や玄関先等に出しておくと、地方公共団体のごみ収集車が巡回して来て回収される。
【０００３】
玄関先等にごみの入った袋を出す場合には、例えば、カラスや猫等により袋が破られ、ごみが散乱したりすることがあるので、一般には、ごみの入った袋は、ごみ収集日の朝、例えば家庭用ごみ箱に収容された状態で出される。
【０００４】
一方、ごみ収集車が収集し易いような街角の所定のごみ収集場等にまとめて出される場合もある。
【０００５】
この場合には、例えば、ごみ収集日の朝やその前日等に、当該所定のごみ収集場等に、ごみの入った袋を出しておくが、軽い袋の場合は強風で飛ばされたりして、見苦しい。また、袋の口が開いて、ごみが散乱したりすることもあり、街の美観上好ましくない。
【０００６】
そこで、これを防止するために、例えば、特許文献１に開示された屋外設置用可変塵芥ボックスは、太さの異なる角形状のパイプ体を組み合わせてなっている。すなわち、図６に示すように、上記屋外設置用可変塵芥ボックス１００は、太形状角パイプ１０１と細形状角パイプ１０２とで形成された５つの各簀の子状面体１１０…を、それぞれ三方止金具１０３…にて連結してなっている。
【０００７】
尚、上記屋外設置用可変塵芥ボックス１００では、細形状角パイプ１０２における太形状角パイプ１０１への挿入長さを変えることにより、大きさの相違するボックス体を伸縮自在に形成することができるものとなっている。
【０００８】
これにより、ごみ袋は、屋外設置用可変塵芥ボックス１００に収容されているので、ごみ袋が強風で飛ばされたり、袋の口が開いてごみが散乱したりすることはないものとなっている。
【先行技術文献】
【特許文献】
【０００９】
【特許文献１】特開平８−３３３００１号公報（１９９６年１２月１７日公開）
【発明の概要】
【発明が解決しようとする課題】
【００１０】
しかしながら、上記従来の太さの異なる角形状のパイプ体を組み合わせてなる特許文献１に開示された屋外設置用可変塵芥ボックス１００では、生ごみを収容していることが認識されるので、街の美観からすると不十分であるという問題点を有している。
【００１１】
本発明は、上記従来の問題点に鑑みなされたものであって、その目的は、街や自然の景観を極力損なわない屋外用ごみ箱を提供することにある。
【課題を解決するための手段】
【００１２】
本発明の屋外用ごみ箱は、上記課題を解決するために、少なくとも側面壁と開閉自在の上蓋とから構成され、かつ上記側面壁及び上蓋は不透明の平面板にてなっていると共に、上記側面壁及び上蓋の両方、又は側面壁若しくは上蓋のいずれか一方には、図形が描画されているか又は図形のステッカーが貼られていることを特徴としている。尚、ステッカーは、シールを含む概念であり、紙、シート等を貼ることによって、図形が屋外用ゴミ箱に描かれていることと同じ作用をなすものであればよい。
【００１３】
上記の発明によれば、屋外用ごみ箱は、少なくとも側面壁と開閉自在の上蓋とから構成され、かつ側面壁及び上蓋は不透明の平面板にてなっている。
【００１４】
このため、屋外用ごみ箱の内部に収容されたごみ袋は、外部からは見えない。したがって、生ごみ等であることが認識されないので、街の美観を損ねることが緩和される。
【００１５】
ところで、本発明のように、外部から生ごみ等であることが認識されない屋外用ごみ箱においては、当該収容物体が屋外用ごみ箱であることを知らしめるために、例えば、「ごみ箱」、「生ごみ用ごみ箱」等の文字を記載することは有り得る。しかし、屋外用ごみ箱に、従来、図形が描画されることはなかった。
【００１６】
これに対して、本願発明は、側面壁及び上蓋の両方、又は側面壁若しくは上蓋のいずれか一方には、図形が描画されているか又は図形のステッカーが貼られている。
【００１７】
このため、この図形が描画されている屋外用ごみ箱を、街角の所定の場所に設置しておくことによって、不衛生な生ごみであるという認識が薄れる。尚、図形を描画する代わりに、図形のステッカーが貼られている場合にも、同様の効果が得られる。
【００１８】
したがって、街や自然の景観を極力損なわない屋外用ごみ箱を提供することができる。
【００１９】
また、本発明の屋外用ごみ箱では、前記図形の描画又は図形のステッカーは、上蓋及び正面の側面壁に描かれ又は貼られていることが好ましい。
【００２０】
これにより、上蓋及び正面の側面壁の両方に図形を描画し、又は図形のステッカーを貼ることによって、単に、殺風景な屋外用ごみ箱が設置されているということを認識させないようにすることができる。
【００２１】
また、本発明の屋外用ごみ箱では、前記図形の描画又は図形のステッカーには、夜光塗料が用いられていることが好ましい。
【００２２】
これにより、夜の月明りや街灯での明るさにて、屋外用ごみ箱に描画された図形又は図形のステッカーが光るので、当該図形を充分に認識することができる。
【００２３】
また、本発明の屋外用ごみ箱では、前記図形は、設置される地域にゆかりのある絵柄であることが好ましい。尚、設置される地域にゆかりのある絵柄とは、その地域の公共団体のシンボルマークや、市の花、市の動物等の絵柄をいう。
【００２４】
このように、図形を、設置される地域にゆかりのある絵柄とすることによって、その地域に関する屋外用ごみ箱であることを認識することができるので、公共物であることを直ちに理解することができる。また、その地域への外部からの観光客に対しても、地域ぐるみで観光案内等をしていることを知らしめることができるので、その地域に対する好印象を与えることができる。
【００２５】
また、本発明の屋外用ごみ箱では、折り畳み可能となっていることが好ましい。
【００２６】
これにより、ごみの収集日ではないときには、屋外用ごみ箱を折り畳んでコンパクトにしておくことができるので、街角に設置されていても邪魔にならないようにすることができる。
【００２７】
また、本発明の屋外用ごみ箱では、ダンボール箱に、上蓋を取り付けてなっているとすることができる。
【００２８】
これにより、例えば、小学生等の遠足に行く場合や屋外キャンプ等に持っていく場合に、軽量であるので、持ち運びが容易である。また、ダンボール箱は、容易に箱に組み立てることができるので、現地にて、瞬時に屋外用ごみ箱を組み立てることができる。そして、この屋外用ごみ箱には、例えば、子供たちが気に入るような絵柄を描いておくことによって、積極的に、生ごみを、ダンボール箱に上蓋を取り付けてなっている屋外用ごみ箱に捨てる意識を持たせることができる。
【００２９】
また、街角のごみの回収場所に設置する場合において、車や人の通りの障害となること等を理由として、奥行きを長く取れない場合がある。このような場合に、ダンボール箱からなる屋外用ゴミ箱において、奥行きを例えば約０．５ｍと短くし、かつ正面の長さを例えば数ｍにしたものを容易に形成することができ、さらに、軽いので取り扱いも容易となる。
【発明の効果】
【００３０】
本発明の屋外用ごみ箱は、以上のように、少なくとも側面壁と開閉自在の上蓋とから構成され、かつ上記側面壁及び上蓋は不透明の平面板にてなっていると共に、上記側面壁及び上蓋の両方、又は側面壁若しくは上蓋のいずれか一方には、図形が描画されているか又は図形のステッカーが貼られているものである。
【００３１】
それゆえ、街や自然の景観を極力損なわない屋外用ごみ箱を提供するという効果を奏する。
【図面の簡単な説明】
【００３２】
【図１】本発明における屋外用ごみ箱の実施の一形態を示すものであって、屋外用ごみ箱の構成を示す斜視図である。
【図２】折り畳み途中の上記屋外用ごみ箱の構成を示す斜視図である。
【図３】折り畳まれた屋外用ごみ箱の構成を示す斜視図である。
【図４】本発明における屋外用ごみ箱の、他の実施の形態を示すものであって、屋外用ごみ箱の構成を示す斜視図である。
【図５】図４の屋外用ごみ箱における折り畳んだ状態の構成を示す斜視図である。
【図６】従来の屋外用ごみ箱の構成を示す斜視図である。
【発明を実施するための形態】
【００３３】
〔実施の形態１〕
本発明の一実施形態について図１〜図３に基づいて説明すれば、以下のとおりである。
【００３４】
図１は本実施の形態の屋外用ごみ箱１０の構成を示す斜視図であり、図２は折り畳み途中の屋外用ごみ箱１０の構成を示す斜視図であり、図３は折り畳まれた屋外用ごみ箱１０の構成を示す斜視図である。
【００３５】
本実施の形態の屋外用ごみ箱１０は、図１に示すように、正面板１と左側面板２と右側面板３と背面板４と上蓋５と底板６とから構成されている。上記正面板１、左側面板２、右側面板３及び背面板４は、本発明の側面壁を構成していると共に、本発明では、側面壁である正面板１、左側面板２、右側面板３及び背面板４、並びに上蓋５はいずれも不透明の例えばＦＲＰ（Fiber Reinforced Plastics ：繊維強化プラスチック）からなる平面板にてなっている。尚、正面板１、左側面板２、右側面板３、背面板４及び上蓋５は、必ずしもＦＲＰに限らず、不透明の平面板にてなっていればよい。上記屋外用ゴミ箱１０の大きさは、例えば、長さ２ｍ、高さ１ｍ及び奥行き１ｍである。
【００３６】
上記屋外用ごみ箱１０は、本実施の形態では、折り畳み可能となっており、図１に示すように、左側面板２は、背面板４に後述する蝶番１１にて連結された側板２ａと、正面板１に後述する蝶番１１にて連結された側板２ｂとからなっていると共に、側板２ａと側板２ｂとは、蝶番１２にて連結されている。
【００３７】
一方、右側面板３についても、同様に、背面板４に後述する蝶番１１にて連結された側板３ａと、正面板１に後述する蝶番１１にて連結された側板３ｂとからなっていると共に、側板３ａと側板３ｂとは、蝶番１２にて連結されている。これにより、後述するように、蝶番１２…にて、側板２ａ・２ｂ及び側板３ａ・３ｂを内側に折り曲げることにより、屋外用ごみ箱１０をコンパクトに折り畳めるようになっている。
【００３８】
尚、本発明においては、屋外用ごみ箱１０は必ずしも折り畳み可能となっていなくてもよい。
【００３９】
上記上蓋５は、本実施の形態では、背面板４に直角に固定された固定上蓋５ａと、この固定上蓋５ａに蝶番１３…にて開閉自在に連結された開閉上蓋５ｂとからなっている。上記開閉上蓋５ｂは、正面板１よりも少し前面に突出して設けられており、これによって、開閉上蓋５ｂを開くときにこの部分を持ち上げることにより開閉上蓋５ｂを容易に開けることができる。
【００４０】
また、固定上蓋５ａには、開閉上蓋５ｂの開時において、例えば、開閉上蓋５ｂの開き角度を例えば１２０度に固定できるように、当接用角材７・７が設けられている。
【００４１】
上記底板６は、本実施の形態では、屋外用ごみ箱１０の底面の全部を覆うのではなく、背面板４から正面板１側に向けて、例えば３０ｃｍ程度の長さとなっている。この理由は、屋外用ごみ箱１０の底面の全部を覆ったのでは、屋外用ごみ箱１０を折り畳んだときに、底板６が前面に突出し過ぎるためである。したがって、底板６は、屋外用ゴミ箱１０を折り畳んだときに、屋外用ゴミ箱１０が自立可能な程度に突出していればよい。また、左側面板２から右側面板３に向けて１枚板にて形成するのではなく、図３に示すように、互いに分離した例えば３枚の板にて形成している。これにより、屋外用ごみ箱１０の軽量化及び材料費の節約を図っている。
【００４２】
次に、屋外用ごみ箱１０は、本実施の形態では、図１に示すように、正面板１及び上蓋５における開閉上蓋５ｂには、図形８が描画されている。尚、本実施の形態では、正面板１及び上蓋５の両方に図形８が描画されているが、本発明では、必ずしもこれに限らず、例えば、側面壁における正面板１若しくは上蓋５のいずれか一方に図形８が描画されていてもよい。さらに、左側面板２や右側面板３に図形８が描画されていてもよい。また、本発明では、必ずしも図形が描画されている場合に限らず、例えば、図形８のステッカーが貼られていてもよい。図形８のステッカーが貼られている場合にも、同様の効果が得られるためである。
【００４３】
このように、本実施の形態における図形８が描画されている屋外用ごみ箱１０を、街角の所定の場所に設置しておくことによって、不衛生な生ごみであるという認識が薄れる。したがって、街や自然の景観を極力損なわない屋外用ごみ箱１０を提供することができる。
【００４４】
また、上記図形８の描画又は図形８のステッカーは、上蓋５及び正面の側面壁としての正面板１に描かれ又は貼られていることが好ましい。
【００４５】
上蓋５及び正面板１の両方に図形８を描画し、又は図形８のステッカーを貼ることによって、単に、殺風景な屋外用ごみ箱１０が設置されているということを認識させないようにすることができる。
【００４６】
また、本実施の形態では、図形８の描画又は図形８のステッカーには、夜光塗料が用いられていることが好ましい。
【００４７】
これにより、夜の月明りや街灯での明るさにて、屋外用ごみ箱１０に描画された図形８、又は図形８のステッカーが光るので、当該図形８を充分に認識することができる。
【００４８】
さらに、本実施の形態の屋外用ごみ箱１０では、図形８は、設置される地域にゆかりのある絵柄であることが好ましい。尚、設置される地域にゆかりのある絵柄とは、例えば、その地域の公共団体のシンボルマークや、市の花、市の動物等の絵柄をいう。また、その地域のコマーシャルになるような絵柄でもよい。
【００４９】
図形８を、設置される地域にゆかりのある絵柄とすることによって、その地域に関する屋外用ごみ箱１０であることを認識することができるので、公共物であることを直ちに理解することができる。また、その地域への外部からの観光客に対しても、地域ぐるみで観光案内等をしていることを知らしめることができるので、その地域に対して好印象を与えることができる。
【００５０】
上記構成の屋外用ごみ箱１０における折り畳み方法について、図２及び図３に基づいて説明する。
【００５１】
本実施の形態の屋外用ごみ箱１０を折り畳むときには、図２に示すように、開閉上蓋５ｂを開いた状態で、左側面板２における側板２ａ・２ｂの蝶番１２、及び右側面板３における側板３ａ・３ｂの蝶番１２をそれぞれ内側に押し込む。すると、側板２ａ・２ｂ及び側板３ａ・３ｂは、正面板１及び背面板４の各内側で蝶番１１…にて連結されているので、側板２ａ・２ｂ及び側板３ａ・３ｂが内側に折れた状態となる。
【００５２】
この状態で、正面板１を背面板４側に押し込むと、図３に示すように、背面板４に、左側面板２における側板２ａ・２ｂ、右側面板３における側板３ａ・３ｂ、及び正面板１が重なる。その後、開閉上蓋５ｂを前に垂らすと、開閉上蓋５ｂが正面板１の上に重なり、折り畳み完了となる。
【００５３】
上記の折り畳み完了状態においては、底板６が設けられているので、屋外用ごみ箱１０を立設させておくことができる。尚、上記の折り畳み完了状態において、この折り畳み完了状態を維持するために、フック等を設けて、背面板４と開閉上蓋５ｂとの間で固定しておくことが可能である。
【００５４】
このように、本実施の形態の屋外用ゴミ箱１０では、折り畳み可能となっていることが好ましい。
【００５５】
これにより、ごみの収集日ではないときには、屋外用ゴミ箱１０を折り畳んでコンパクトにしておくことができるので、街角に設置されていても邪魔にならないようにすることができる。
【００５６】
尚、本発明は、上記実施の形態に限定されるものではなく、本発明の範囲内で種々の変更が可能である。例えば、正面板１並びに左側面板２及び右側面板３の開閉動作を円滑にするために、それらの下端に車輪を付けたり、ガイドレールを設けることもできる。また、屋外用ごみ箱１０の設置場所が平滑な面になっている場合は、底板６を省くことも可能である。
【００５７】
〔実施の形態２〕
本発明における他の実施の形態について図４及び図５に基づいて説明すれば、以下のとおりである。図４は、本実施形態の屋外用ごみ箱の構成を示す斜視図であり、図５は、本実施の形態の屋外用ごみ箱を折り畳んだときの構成を示す斜視図である。尚、本実施の形態において説明すること以外の構成は、前記実施の形態１と同じである。また、説明の便宜上、前記実施の形態１の図面に示した部材と同一の機能を有する部材については、同一の符号を付し、その説明を省略する。
【００５８】
前記実施の形態１の屋外用ごみ箱１０はＦＲＰからなる常設型であったのに対して、本実施の形態の屋外用ごみ箱２０は、図４に示すように、ダンボール箱にてなり、簡易かつ取り扱いが容易である点が異なっている。
【００５９】
すなわち、屋外用ごみ箱２０は、図４に示すように、一般的なダンボール箱を改良したものからなっており、ダンボール箱２１に梱包用粘着テープ２２にて上蓋２３を取り付けた構成となっている。この上蓋２３は、正面の側面壁２１ａよりも突出しており、開閉の便宜を図っている。
【００６０】
そして、本実施の形態においても、側面壁２１ａ・２１ｂ及び上蓋２３の両方に図形８が描画されている。尚、本発明では、必ずしもこれに限らず、例えば、側面壁２１ａ・２１ｂ又は上蓋２３のいずれか一方に図形８が描画されていてもよい。また、本発明では、必ずしも図形が描画されている場合に限らず、例えば、図形８のステッカーが貼られていてもよい。
【００６１】
このように、本実施の形態の屋外用ごみ箱２０は、平面板はダンボール紙からなっている。つまり、ダンボール箱２１にてなっている。
【００６２】
これにより、例えば、小学生等が遠足に行く場合や屋外キャンプ等に持っていく場合に軽量であるので、持ち運びが容易である。すなわち、搬送時には、平面形状に折り畳むことができるので、容積（嵩）を減らすことができる。そして、ダンボール箱２１は、容易に箱に組み立てることができる。この場合、図４に示すように、底を形成しないようにして組み立てて設置しておくことにより、現地にて、屋外用ごみ箱２０を瞬時に組み立てて設置することができる。
【００６３】
この場合、屋外用ごみ箱２０の内部に、大きなポリ袋を入れておくのがよい。これにより、屋外用ごみ箱２０のポリ袋にごみを収容した後は、ポリ袋を取り出し、折り畳んだ屋外用ごみ箱２０と別体にして持ち帰ることができる。これにより、屋外用ごみ箱２０の再利用を図ることができる。
【００６４】
尚、ごみが少ない場合には、ダンボール箱２１を立体形状の一般的な直方体の箱とすることにより、容易にごみを屋外用ごみ箱２０に収容して持ち帰り、そのまま廃棄することも可能である。この場合、上蓋２３を取り外して、ごみと一緒に上蓋２３を取り外した屋外用ゴミ箱２０に収容することも可能である。
【００６５】
ここで、本実施の形態においても、この屋外用ごみ箱２０には、実施の形態１の屋外用ゴミ箱１０と同様に、例えば、子供たちが気に入るような絵柄の図形８が描かれているので、積極的に、生ごみをダンボール箱２１からなる屋外用ごみ箱２０に捨てる意識を持たせることができる。
【００６６】
子供たちが気に入るような絵柄とは、例えば、キャラクターの絵柄や、動物等の絵柄である。
【００６７】
一方、本実施形態の屋外用ゴミ箱２０の使用方法においては、他の方法も考えられる。すなわち、家庭等で発生したごみをポリ袋等に入れて、例えば玄関先等に出しておくことがよく行われているが、この場合も、単にポリ袋等を玄関先等においておくのではなく、この屋外用ごみ箱２０に収容して玄関先等においておくことができる。これにより、各戸の玄関先のごみが、全て共通の屋外用ごみ箱２０となり、ごみ収集日の景観を損なわないようにすることができる。
【００６８】
特に、本実施の形態の屋外用ごみ箱２０には、図形８が描かれているので、特に、街や自然の景観を損ねないようにすることができる。したがって、観光地等においては、この屋外用ゴミ箱２０を用いることによって、観光地の景観を極力損ねることがないようにすることができる。
【００６９】
さらに、本発明は、上記の実施の形態に限定されるものではない。例えば、上記の説明では、上蓋２３は背面の側面壁２１ｃに直接梱包用粘着テープ２２にて取り付けられていたが、必ずしもこれに限らず、上蓋２３の折代２３ａを設けてもよい。
【００７０】
これにより、図５に示すように、屋外用ゴミ箱２０を折り畳んだ場合に、容易に平面状態に折り畳むことができる。
【００７１】
この結果、例えば、ごみ袋が、ごみ収集車が収集し易いような街角の所定のごみ収集場等にまとめて出される場合において、その場所が、歩道に面しているのであまり前面に突出させることができないときにも、本実施の形態の屋外用ゴミ箱２０は対応が可能である。この場合、例えば、屋外用ゴミ箱２０における正面の側面壁２１ａの長さを例えば３〜５ｍとし、屋外用ゴミ箱２０における側面の側面壁２１ｂの長さを例えば０．５ｍとするような細長い直方体形状に組み立てることが可能である。
【００７２】
これにより、歩道に屋外用ゴミ箱２０を設置する場合において、歩行の障害にならず、かつ使用しないときは、例えば、道路のガードレール等に沿わせて折り畳んでおくことが可能である。
【００７３】
尚、本実施の形態の屋外用ゴミ箱２０が、ダンボール箱２１にて形成されていても、前面に例えば白地の防水塗装が施され、一部に、図形の絵柄等が描かれている場合には、雨に濡れて、直ぐに、屋外用ゴミ箱２０が使用不可になるということはない。
【産業上の利用可能性】
【００７４】
本発明は、例えば、ごみ収集車が巡回して来るまでごみ袋を保管しておくのに適すると共に、キャンプ地等への携帯に便利で、街や自然の景観を極力損なわない屋外用ごみ箱に適用することができる。
【符号の説明】
【００７５】
１      正面板（側面壁）
２      左側面板（側面壁）
２ａ    側板
２ｂ    側板
３      右側面板（側面壁）
３ａ    側板
３ｂ    側板
４      背面板（側面壁）
５      上蓋
５ａ    固定上蓋
５ｂ    開閉上蓋
６      底板
７      当接用角材
８      図形
１０      屋外用ごみ箱
１１      蝶番
１２      蝶番
１３      蝶番
２０      屋外用ごみ箱
２１      ダンボール箱
２１ａ    側面壁
２１ｂ    側面壁
２１ｃ    側面壁
２２      梱包用粘着テープ
２３      上蓋
２３ａ    折代
【図１】
2010265080.tif 000003
【図２】
2010265080.tif 000004
【図３】
2010265080.tif 000005
【図４】
2010265080.tif 000006
【図５】
2010265080.tif 000007
【図６】
2010265080.tif 000008